(57)【要約】【課題】男性が便器に向かって放尿するときの尿の飛散や体への付着を防止することができる使い捨て可能な排尿飛散防止機能を有する衛生用品としての男性用使い捨て衛生用品及び男性用使い捨て衛生用品セットを提供する。【解決手段】男性用使い捨て衛生用品セットは、男性用使い捨て衛生用品１０と廃棄ボックス２０を有しており、男性用使い捨て衛生用品１０が、第１の開口Ｋ１及び中空部分１２に男性器が挿入されている状態で、男性器から排尿されたときに、排尿が本体部１１の内部を介して洋式トイレに向かうように形成されている。排尿が終了した後に、男性用使い捨て衛生用品１０は、男性用使い捨て衛生用品廃棄孔２０ａを介して廃棄ボックス２０の内部に廃棄される。【選択図】図３
0003221427.tif 000002
【実用新案登録請求の範囲】
【請求項１】
男性の排尿における尿の飛散や体への付着を防止する使い捨て可能なように形成されている男性用使い捨て衛生用品であって、
筒状に形成されている本体部と、前記本体部の先端に設けられている第１の開口と、前記本体部の後端に設けられている第２の開口と、前記第１の開口と前記第２の開口の間に設けられている中空部分と、を有し、
前記第１の開口は、男性器が挿入可能な大きさに形成され、
前記中空部分は、前記男性器が嵌め込まれるような大きさに形成され、
前記第２の開口は、前記排尿が排出されるような大きさに形成されていることを特徴とする男性用使い捨て衛生用品。
【請求項２】
前記本体部の前記第１の開口側の内周面に半円筒状の吸水性を有する紙が貼り付けられていることを特徴とする請求項１から請求項３のいずれかに記載の男性用使い捨て衛生用品。
【請求項３】
請求項１から請求項４に記載の男性用使い捨て衛生用品と、廃棄ボックスと、を有する男性用使い捨て衛生用品セットであって、
前記廃棄ボックスは、男性用使い捨て衛生用品廃棄孔を有し、
前記第１の開口及び前記中空部分に前記男性器が挿入されている状態で、前記男性器から排尿されたときに、前記排尿が、前記本体部の内部を介して前記第２の開口から洋式トイレに向かうように形成されており、前記排尿が終了した後に、前記本体部は、前記男性用使い捨て衛生用品廃棄孔を介して前記廃棄ボックスに廃棄されることを特徴とする男性用使い捨て衛生用品セット。
【考案の詳細な説明】
【技術分野】
【０００１】
本考案は、男性用使い捨て衛生用品及び男性用使い捨て衛生用品セットに関する。
【背景技術】
【０００２】
男性の放尿時、特に洋式トイレにおいて尿の飛散は頻繁に起こりうる問題であり、便器内の尿の飛散を防止し、温水洗浄便座にも使用可能な排尿飛散防止具が開示されている。
【先行技術文献】
【特許文献】
【０００３】
【特許文献１】特開２００８-２９７７７９号公報
【考案の概要】
【考案が解決しようとする課題】
【０００４】
上記の排尿飛散防止具は、男性が便器に向かって放尿するときは立位で行う場合が多く放尿は便器に向けて行われ便器内に当たり、このはね返りにより尿の一部は飛散して便器周囲、便器蓋などを汚すことになり、定期的にこの汚れを除去することが必要となっており、特に、ホテル、飲食店などでは、客からの清掃の依頼などの煩わしさのみならず清掃のための費用が発生するという問題もあった。また、便座に座って排尿するときにおいて尿が体に付着するという問題もあった。
【０００５】
そこで本考案は、このような課題を解決するためになされたもので、男性が便器に向かって放尿するときの尿の飛散や体への付着を防止することができる使い捨て可能な排尿飛散防止機能を有する衛生用品としての男性用使い捨て衛生用品を提供することである。
【課題を解決するための手段】
【０００６】
上記課題を解決するために、本考案に係る男性用使い捨て衛生用品は、男性の排尿における尿の飛散や体への付着を防止する使い捨て可能なように形成されている男性用使い捨て衛生用品であって、筒状に形成されている本体部と、前記本体部の先端に設けられている第１の開口と、前記本体部の後端に設けられている第２の開口と、前記第１の開口と前記第２の開口の間に設けられている中空部分と、を有し、前記第１の開口は、男性器が挿入可能な大きさに形成され、前記中空部分は、前記男性器が嵌め込まれるような大きさに形成され、前記第２の開口は、前記排尿が排出されるような大きさに形成されていることを特徴とする。
【０００７】
本考案に係る男性用使い捨て衛生用品の態様について、前記本体部の前記第１の開口側の内周面に半円筒状の吸水性を有する紙が貼り付けられていることが好ましい。
【０００８】
上記課題を解決するために、本考案に係る男性用使い捨て衛生用品セットは、上記の男性用使い捨て衛生用品と、廃棄ボックスと、を有する男性用使い捨て衛生用品セットであって、前記廃棄ボックスは、男性用使い捨て衛生用品廃棄孔を有し、前記第１の開口及び前記中空部分に前記男性器が挿入されている状態で、前記男性器から排尿されたときに、前記排尿が、前記本体部の内部を介して前記第２の開口から洋式トイレに向かうように形成されており、前記排尿が終了した後に、前記本体部は、前記男性用使い捨て衛生用品廃棄孔を介して前記廃棄ボックスに廃棄されることを特徴とする。
【考案の効果】
【０００９】
本考案によれば、男性が便器に向かって放尿するときの尿の飛散や体への付着を防止することができる使い捨て可能な排尿飛散防止機能を有する衛生用品としての男性用使い捨て衛生用品を提供することができる。
【図面の簡単な説明】
【００１０】
【図１】実施形態の男性用使い捨て衛生用品の一例を示す模式図である。
【図２】実施形態の男性用使い捨て衛生用品の他の一例を示す模式図である。
【図３】男性用使い捨て衛生用品セットの一例を示す参考図である。
【考案を実施するための形態】
【００１１】
以下、本考案の実施形態を、図１及び図２を用いて説明する。図１（ａ）は、男性用使い捨て衛生用品１０の斜めからの模式図であり、図１（ｂ）は、男性用使い捨て衛生用品１０の横からの模式図であり、図１（ｃ）は、図１（ｂ）のＡ−Ａ断面を示す模式図である。図２は、男性用使い捨て衛生用品１０の他の一例を示す模式図であり、また、図３は、男性用使い捨て衛生用品１０と廃棄ボックス２０からなる男性用使い捨て衛生用品セット１００の一例を示す参考図である。図１及び図２に示すように、実施形態の男性用使い捨て衛生用品１０は、男性の排尿における尿の飛散や体への付着を防止する使い捨て可能なように形成されている筒状の衛生用品である。なお、男性用使い捨て衛生用品１０は、図1及び図2に示すものに限定されず、円筒、三角筒、四角筒など適宜最適なものにすればよく、また、折り畳み可能なものにし、携帯できるものにしてもよい。
【００１２】
男性用使い捨て衛生用品１０は、上記のとおり筒状に形成されており、男性が排尿、つまり放尿するときの尿の飛散や体への付着を防止することができ、使用後は、廃棄ボック２０に使い捨てすることが可能なように形成されているものである。
【００１３】
男性用使い捨て衛生用品１０は、筒状に形成されている本体部１１、本体部１１の先端に設けられている第１の開口Ｋ１、本体部１１の後端に設けられている第２の開口Ｋ２、及び第１の開口Ｋ１と第２の開口Ｋ２の間に設けられている中空部分１２を有している。
【００１４】
第１の開口Ｋ１は、男性器が挿入可能な大きさに形成されており、また、中空部分１２は、男性器が嵌め込まれるような大きさに形成されている。すなわち、男性用使い捨て衛生用品１０は、男性の排尿時に男性器が第１の開口Ｋ１に挿入され、第１の開口Ｋ１に挿入された男性器が、中空部分１２に嵌め込まれ覆われた状態で、放尿することにより、尿が本体部１１の内部に当たることにより便器の縁、外部などに飛散することを防ぐことができるように形成されている。第２の開口Ｋ２は、上記の本体部１１の内部に排尿された尿が排出されるような大きさに形成されており、尿は、第２の開口Ｋ２から飛散されることがなく便器に放尿されることになる。
【００１５】
上記のとおり本体部１１は、一例として筒状であるが、これに限定されず、また、子供用、大人用などの適宜最適な大きさになるように設計するとよい。このように本考案の男性用使い捨て衛生用品１０は、形状において、使用者、使用形態に合わせ最適なものに設計することができるものである。なお、上記の本体部１１は、例えば、端部を貼り付けて製造する方法、一体的に製造する方法などがあるが、適宜最適な方法で製造すればよい。
【００１６】
また、男性用使い捨て衛生用品１０は、本体部１１の第１の開口Ｋ１の側の内周面に、吸水性を有する軟らかい半円筒状の紙、例えば、吸水性のあるティッシュペーパーと同様な半円筒状の素材を貼り付けてもよい。このような構造にすることで男性用使い捨て衛生用品１０は、上記の半円筒状の紙の部分を下にして使用することにより、この半円筒状の紙の部分で残尿などの漏れを吸い取ることができ、便器、床などの汚れを抑制することができる優れた効果を有するものである。なお、本体部１１は、焼却可能な部材であることが望ましいが、これに限定されない。
【００１７】
次に、男性用使い捨て衛生用品１０と廃棄ボックス２０を有する男性用使い捨て衛生用品セット１００について説明する。廃棄ボックス２０は、男性用使い捨て衛生用品廃棄孔２０ａを有しており、この男性用使い捨て衛生用品廃棄孔２０ａは、男性用使い捨て衛生用品１０が通過する大きさであればよい。男性用使い捨て衛生用品１０は、第１の開口Ｋ１及び中空部分１２に男性器が挿入されている状態で、男性器から排尿されたときに、排尿が、本体部１１の内部を介して第２の開口Ｋ２から、例えば洋式トイレに向かうように形成されており、そして、排尿が終了した後に、男性用使い捨て衛生用品１０は、男性用使い捨て衛生用品廃棄孔２０ａを介して廃棄ボックス２０の内部に廃棄されるように形成されている。なお、廃棄ボックス２０の材質は、プラスチック、ダンボールなどの紙類であるが、これらに限定されず適宜最適なものを選択すればよく、消臭機能を有していてもよく、また、廃棄ボックス２０は、蓋を設けた構成であってもよい。
【００１８】
このような構造の男性用使い捨て衛生用品１０は、男性が便器に向かって放尿するときの尿の飛散や体への付着を防止することができる使い捨て可能な排尿飛散防止機能を有する衛生用品として優れたものであり、この男性用使い捨て衛生用品１０を使用することにより、手が局所に触れることのない衛生用品として提供できるものであり、病気の予防にも効果を発揮できるものである。
【００１９】
また、特に、子供の排尿時において、尿が体の一部に付着し、かゆみ、ただれなどが起こりうるが、男性用使い捨て衛生用品１０の使用により、このような尿の体への付着を防止することができるという顕著な効果も有している。さらに、男性用使い捨て衛生用品１０は、排尿の勢いが弱く、排尿の方向が定まらない高齢者などにおいて、ズボンなどの衣服に尿が付着することのないようにすることができる優れたものである。このようにズボンなどの衣服に尿が付着することのない効果を有する男性用使い捨て衛生用品１０が用意されているホテル、飲食店などを利用することができれば、外出したときに、尿がズボンなどの衣服に付着し恥ずかしくなること、恥じをかくことなどを回避することができることより、衣服の着替えなどを用意することもなく、安心して外出することができるようになる。また、便座に座って排尿するときにおいても使用でき、尿が体に付着することを防止することを目的とする場合には、男性用使い捨て衛生用品１０の長さが短いものがより効果的である。すなわち、座って使用する場合には、長さがより短いものを使用し、一方、立って使用する場合には、長さがより長いものを使用すればよく、このように男性用使い捨て衛生用品１０は、使用に応じ対応できるものを適宜設計するとよい。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２１】
また、本考案の男性用使い捨て衛生用品及び男性用使い捨て衛生用品セットは、部材の種類、大きさや形状、素材の坪量、厚さ、重さ、分散時間などについては多様な実施形態が可能であり、それらについて本実施形態と異なる形態による実施は、本考案の技術的範囲に含まれる。
【符号の説明】
【００２２】
１００  男性用使い捨て衛生用品セット
１０    男性用使い捨て衛生用品
１１    本体部
１２    中空部分
Ｋ１    第１の開口
Ｋ２    第２の開口
２０    廃棄ボックス
２０ａ  男性用使い捨て衛生用品廃棄孔
【図１】
0003221427.tif 000003
【図２】
0003221427.tif 000004
【図３】
0003221427.tif 000005
【手続補正書】
【提出日】平成31年3月28日(2019.3.28)
【手続補正１】
【補正対象書類名】実用新案登録請求の範囲
【補正対象項目名】全文
【補正方法】変更
【補正の内容】
【実用新案登録請求の範囲】
【請求項１】
男性の排尿における尿の飛散や体への付着を防止する使い捨て可能なように形成されている男性用使い捨て衛生用品であって、
筒状に形成されている本体部と、前記本体部の先端に設けられている第１の開口と、前記本体部の後端に設けられている第２の開口と、前記第１の開口と前記第２の開口の間に設けられている中空部分と、を有し、
前記第１の開口は、男性器が挿入可能な大きさに形成され、
前記中空部分は、前記男性器が嵌め込まれるような大きさに形成され、
前記第２の開口は、前記排尿が排出されるような大きさに形成されていることを特徴とする男性用使い捨て衛生用品。
【請求項２】
前記本体部の前記第１の開口側の内周面に半円筒状の吸水性を有する紙が貼り付けられていることを特徴とする請求項１に記載の男性用使い捨て衛生用品。
【請求項３】
請求項１または請求項２に記載の男性用使い捨て衛生用品と、廃棄ボックスと、を有する男性用使い捨て衛生用品セットであって、
前記廃棄ボックスは、男性用使い捨て衛生用品廃棄孔を有し、
前記第１の開口及び前記中空部分に前記男性器が挿入されている状態で、前記男性器から排尿されたときに、前記排尿が、前記本体部の内部を介して前記第２の開口から洋式トイレに向かうように形成されており、前記排尿が終了した後に、前記本体部は、前記男性用使い捨て衛生用品廃棄孔を介して前記廃棄ボックスに廃棄されることを特徴とする男性用使い捨て衛生用品セット。